(57)【要約】      （修正有）【課題】マスク本体に手を触れずに容易に収納できるマスク収納ケースを提供する。【解決手段】マスク収納ケースは、使用者Ｕに装着されたマスクＭに対し、マスク前方からマスクに当接させることが可能な、左右に開閉可能なケース本体１０と、ケース本体の内面において、マスクと当接する部位の少なくとも一部に設けられた、剥離性を有する粘着部１２とを備える。粘着部はマスクの左右と当接する部位にそれぞれ設けられている。ケース本体の内側の左右方向中央部には、一端がケース本体内に固定され、他端がケース本体内に係脱可能な、マスク固定バンドが設けられている。【選択図】図２
0003229233.tif 000002
【実用新案登録請求の範囲】
【請求項１】
マスク（Ｍ）の使用者（Ｕ）に装着されたマスク（Ｍ）に対し、マスク前方からマスク（Ｍ）に当接させることが可能な、左右に開閉可能なケース本体（１０）と、
このケース本体（１０）の内面（１１）において、前記マスク（Ｍ）と当接する部位の少なくとも一部に設けられた、剥離性を有する粘着部（１２）と、
を備えていることを特徴とするマスク収納ケース。
【請求項２】
請求項１において、
前記粘着部（１２）は前記マスク（Ｍ）の左右と当接する部位にそれぞれ設けられていることを特徴とするマスク収納ケース。
【請求項３】
請求項１または２において、
前記ケース本体（１０）の内側の左右方向中央部には、一端がケース本体（１０）内に固定され、他端がケース本体（１０）内に係脱可能な、マスク固定バンド（１４）が設けられていることを特徴とするマスク収納ケース。
【請求項４】
請求項１または２において、
前記ケース本体（１０）の内側の左右方向中央部には、ケース本体（１０）内を左右に仕切る仕切体（１６）が設けられ、この仕切体（１６）の両側面と、ケース本体内面（１１）の左右とに、前記粘着部（１２）が設けられていることを特徴とするマスク収納ケース。
【考案の詳細な説明】
【技術分野】
【０００１】
本考案は、マスク収納ケースに関するものである。より詳しくは、マスク本体に手を触れずに収納できるようにしたマスク収納ケースに関するものである。
【背景技術】
【０００２】
従来、例えば特許文献１に見られるように、
「マスクの表面と裏面に手を触れずにマスクの着脱が出来て、そのまま収納でき、マスクの内外を清潔に保ち、ウィルスや埃、花粉を周囲に付着させないマスク用ケースを提供する」ことを課題とし、解決手段として、
「略長方形のシート材からなるケース本体１を二つ折りにして、マスク７をケース本体で挟んで収納するケースにおいて、マスク耳掛け１０を掛ける突出部２を持ち、突出部はケース本体の短辺端縁からつづく上辺基端側が斜め上向きに形成され、下辺基端側が斜め下向きに形成される事を特徴としており、マスク着脱時に、手でマスクに触る事なくマスク耳掛けを着脱可能とした」マスク収納ケース（同文献要約欄）
が知られている。
【０００３】
しかしこのものは、マスク７をケース１に収納する際に、マスク７を介した状態で顔面にケース１をあてがった状態、すなわち、マスク７を顔面とケース１とで挟んだ状態で、耳掛け１０を突出部２に掛ける必要がある。耳掛け１０を突出部２に掛けずにケース１を顔面から離すと、マスク７が落下してしまうおそれがあるからである。
そのため、この従来のマスクケースでは、マスク７を顔面とケース１とで挟んだ状態で、耳掛け１０を突出部２に掛ける作業を強いられるという難点があった。
【０００４】
なお、同文献図１、図２、および００１８段落には、マスク落下防止手段５が開示されている。しかし、このマスク落下防止手段５は、普通のマスク７やあらかじめ二つ折りされた立体マスク１１の収納の便利を図るためのものであって（同００１８段落）、マスク７を顔面とケース１とで挟んだ状態でマスク７をケース１に収納しようとする際のマスク７の落下防止を図ったものではない。仮に、マスク７を顔面とケース１とで挟んだ状態でマスク７をケース１に収納しようとする際のマスク７の落下防止のために利用しようとしたとすると、マスク７を顔面とケース１とで挟んだ状態でマスク７の下縁をマスク落下防止手段５に挟む必要があるが、その作業自体困難である。
【先行技術文献】
【特許文献】
【０００５】
【特許文献１】特開2011-103940号公報
【考案の概要】
【考案が解決しようとする課題】
【０００６】
本考案が解決しようとする課題は、マスク本体に手を触れずに容易に収納できるようにしたマスク収納ケースを提供することである。
【課題を解決するための手段】
【０００７】
上記課題を解決するために、本考案のマスク収納ケースは、
マスクの使用者に装着されたマスクに対し、マスク前方からマスクに当接させることが可能な、左右に開閉可能なケース本体と、
このケース本体の内面において、前記マスクと当接する部位の少なくとも一部に設けられた、剥離性を有する粘着部と、
を備えていることを特徴とする。
【０００８】
このマスク収納ケースは、上記の構成となっているので、次のように使用することができる。
マスクの使用者に装着されたマスクに対し、左右に開いた状態のケース本体をマスク前方からマスクに当接させる。
ケース本体の内面において、マスクと当接する部位の少なくとも一部には粘着部が設けられているので、この粘着部にマスクが吸着されることで、マスクを顔から外したとしても、マスクは落下しにくくなる。
したがって、このマスク収納ケースによれば、マスク本体に手を触れずにマスクを容易にケース本体内に収納することが可能になる。
なお、粘着部は、剥離性を有しているので、マスクを再利用する際には、ケースから容易に取り出すことができる。
【０００９】
このマスク収納ケースにおいては、
前記粘着部は前記マスクの左右と当接する部位にそれぞれ設けられている構成とすることができる。
このように構成すると、マスクの左右が吸着されてより一層落下しにくくなるので、マスク本体に手を触れずにマスクを一層容易にケース本体内に収納することが可能になる。
【００１０】
このマスク収納ケースにおいては、
前記ケース本体の内側の左右方向中央部には、一端がケース本体内に固定され、他端がケース本体内に係脱可能な、マスク固定バンドが設けられている構成とすることができる。
このように構成すると、ケース本体内に収容したマスクをマスク固定バンドで固定することでマスクの型崩れを防止することができる
【００１１】
このマスク収納ケースにおいては、
前記ケース本体の内側の左右方向中央部には、ケース本体内を左右に仕切る仕切体が設けられ、この仕切体の両側面と、ケース本体内面の左右とに、前記粘着部が設けられている構成とすることができる。
このように構成すると、マスク本体に手を触れずに仕切体の左右にそれぞれマスクを収納することが可能になる。
【図面の簡単な説明】
【００１２】
【図１】本考案に係るマスク収納ケースの実施の形態を示す図で、（ａ）は開いた状態の正面図、（ｂ）は図（ａ）における部分省略ｂ−ｂ端面図、（ｃ）は閉じた状態の側面図。
【図２】使用状態説明斜視図。
【図３】（ａ）（ｂ）はそれぞれ使用状態説明平面図。
【図４】他の実施の形態を示す図で、（ａ）は開いた状態の正面図、（ｂ）は図（ａ）における部分省略ｂ−ｂ端面図。
【考案を実施するための形態】
【００１３】
以下、本考案に係るマスク収納ケースの実施の形態について図面を参照して説明する。なお、各図において、同一部分ないし相当する部分には、同一の符号を付してある。
【００１４】
図１、図２に示すように、この実施の形態のマスク収納ケース１は、
マスクの使用者Ｕに装着されたマスクＭに対し、マスクＭの前方（矢印Ｍｆ方向）からマスクＭに当接させることが可能な、左右に開閉可能なケース本体１０と、
このケース本体１０の内面１１において、マスクＭと当接する部位の少なくとも一部に設けられた、剥離性を有する粘着部１２と、
を備えている。
【００１５】
このマスク収納ケースは、上記の構成となっているので、次のように使用することができる。
【００１６】
図２に示すように、マスクＭの使用者Ｕに装着されたマスクＭに対し、左右に開いた状態のケース本体１０をマスク前方（Ｍｆ）からマスクＭに当接させる。
【００１７】
ケース本体１０の内面１１において、マスクＭと当接する部位の少なくとも一部には粘着部１２が設けられているので、この粘着部１２にマスクＭが吸着されることで、図２に示す状態から、マスクＭを顔から外したとしても、マスクＭはケース本体１０から落下しにくくなる。
【００１８】
したがって、このマスク収納ケース１によれば、マスク本体Ｍ１に手を触れずにマスクＭを容易にケース本体１０内に収納することが可能になる。
なお、マスクＭの耳掛け部Ｍ２は、マスク本体Ｍ１をケース本体１０の内側に吸着させた後に、図３（ａ）に示すように、耳Ｕ２から外し、図３（ｂ）に示すように、ケース１内に入れれば良い。ケース本体１０を畳んでファスナー１７を閉じれば、図１（ｃ）に示すような状態となる。
【００１９】
粘着部１２は、剥離性を有しているので、マスクＭを再利用する際には、ケース１から容易に取り出すことができる。
【００２０】
この実施の形態においては、図１（ａ）（ｂ）に示すように、粘着部１２はマスクＭの左右と当接する部位１１Ｌ，１１Ｒにそれぞれ設けられている。
【００２１】
このように構成すると、マスクＭの左右が左右の粘着部１２，１２吸着されてより一層落下しにくくなるので、マスク本体Ｍ１に手を触れずにマスクＭを一層容易にケース本体１０内に収納することが可能になる。
【００２２】
ケース本体１０の内側の左右方向中央部１１ｍには、一端１４ｂがケース本体１０内に固定され、他端１４ｃがケース本体１０内に係脱可能な、マスク固定バンド１４が設けられている。
【００２３】
このように構成すると、図３（ａ）に示すように、ケース本体１０内に収容したマスクＭをマスク固定バンド１４で固定することでマスクＭの型崩れを防止することができる
【００２４】
図４（ａ）（ｂ）に示すように、ケース本体１０の内側の左右方向中央部１１ｍには、ケース本体１０内を左右に仕切る仕切体１６が設けられ、この仕切体１６の両側面と、ケース本体１０内面の左右とに、粘着部１２が設けられている構成とすることができる。
【００２５】
このように構成すると、図４（ｂ）に示すように、マスク本体Ｍ１に手を触れずに仕切体１６の左右にそれぞれマスクＭを収納することが可能になる。
【００２６】
マスク収納ケース１は、公知の適宜の材質（例えば、合成樹脂、布、革等）で構成することができる。
マスク本体１０を左右に開閉可能とするための構造は公知の適宜の構造を採用することができる。この実施の形態では、スライドファスナー１７を用いている。１７ｂはスライドファスナーの摘まみである。
【００２７】
粘着部１２は、剥離性を有する公知の粘着剤を採用できる。また、例えば、片面（マスクとの当接面）が弱粘着性となっている両面テープで構成することもできる。
【００２８】
ケース本体１０の内面は、粘着部１２を含め、全体的に公知の抗菌処理を施す。あるいは内面および粘着部１２を抗菌性を有する材料で構成する。例えば、後述するポケット１８を含め抗菌加工繊維で構成することもできる。
また、スライドファスナー１７も抗菌作用を有するファスナー（例えば銅製ファスナー）で構成する。
このように構成すると、マスクを収容している間に、マスクＭを殺菌（ないし滅菌）することができる。
【００２９】
図１（ａ）（ｂ）に示すように、ケース本体１０内には、予備のマスクＭ’を入れておくことのできるポケット１８を設けることが望ましい。
【００３０】
マスク固定バンド１４は公知のゴムベルトやゴム紐で構成することができる。一端１４ｂはケース内に例えば縫着し、他端１４ｃはフックとして、ケース本体１０内に設けたリング１０ｒと係脱できるようにする。
【００３１】
図４（ａ）（ｂ）に示すように、仕切体１６は、ポケット（小物入れ）１６ｐで構成することが望ましい。
【００３２】
以上、本考案の実施の形態について説明したが、本考案は上記の実施の形態に限定されるものではなく、本考案の要旨の範囲内において適宜変形実施可能である。
例えば、上記の構成では、粘着部１２は四角形としたが、適宜の形状、例えば、円形、楕円形等とすることもできる。
【符号の説明】
【００３３】
Ｍ：    マスク
１：    マスク収納ケース
１０：    ケース本体
１１：    内面
１２：    粘着部
１４：    マスク固定バンド
１６：    仕切体
【図１】
0003229233.tif 000003
【図２】
0003229233.tif 000004
【図３】
0003229233.tif 000005
【図４】
0003229233.tif 000006